(57)【要約】      （修正有）【課題】軽衝突時に緩衝部材が早期に底付いてバンパレインフォースメントが変形することを、当該バンパレインフォースメントに特殊な形状を設けることなく解決する。【解決手段】車両１は、車幅方向に延びて両端部が各々クラッシュカンにより車両後方から支持されるバンパレイン６と、その前面に固定されてバンパレイン６に沿って車幅方向に延びる緩衝部材２２とを備える。緩衝部材２２は、バンパレイン６前面に沿う基台部２４と、この基台部２４から車両前方に向かって延びる板状を成しかつ上下方向に変形可能な突出部２５とを有する。当該突出部２５は、バンパレイン６前面の上下方向一端側に位置し、当該バンパレイン６前面から上下方向外側に傾倒可能に形成されている。【選択図】図２
2015096357.tif 000002
【特許請求の範囲】
【請求項１】
車幅方向に延び、両端部が各々フレーム部材により車両後方から支持されるバンパレインフォースメントと、その前面に固定されて前記バンパレインフォースメントに沿って車幅方向に延びる緩衝部材と、前記バンパレインフォースメントの車両後方側に配置される補機とを備え、
前記緩衝部材は、バンパレインフォースメント前面に沿う基台部と、この基台部から車両前方に向かって延びる板状を成しかつ上下方向に変形可能な突出部とを有し、
前記突出部は、バンパレインフォースメント前面の上下方向一端側に位置し、当該バンパレインフォースメント前面から上下方向外側に傾倒可能に形成されている、ことを特徴とする車両の前部構造。
【請求項２】
請求項１に記載の車両の前部構造において、
前記バンパレインフォースメントおよび前記緩衝部材は、車幅方向中央部が両端部よりも車両前方に突出するように湾曲した形状を有し、
前記バンパレインフォースメントは、車両前方からの衝突荷重の入力により当該バンパレインフォースメントが車両後方に変形して前記補機と干渉する前に、当該バンパレインフォースメントから前記フレーム部材への前記衝突荷重の伝達が開始されるように形成されている、ことを特徴とする車両の前部構造。
【請求項３】
請求項１又は２に記載の車両の前部構造において、
前記基台部は、車幅方向中央部を含む所定範囲における上下幅が、当該所定範囲よりも車幅方向外側における上下幅よりも小さく形成されている、ことを特徴とする車両の前部構造。
【請求項４】
請求項１乃至３の何れか一項に記載の車両の前部構造において、
前記緩衝部材の前方に配置され、かつ車幅方向中央部に外気導入口を有する外装部材と、
前記外装部材の後側に車幅方向に所定間隔を隔てて配置され、前記外気導入口から導入される外気が車幅方向外側に流動することを抑制する一対の仕切部材と、を備え、
前記緩衝部材は、車幅方向の長さが前記一対の仕切部材の間隔よりも長くかつ前記突出部が前記一対の仕切部材の外側まで延設されている、ことを特徴とする車両の前部構造。
【発明の詳細な説明】
【技術分野】
【０００１】
本発明は、バンパレインフォースメントとバンパフェイシャとの間に、歩行者等の被衝突体保護用の緩衝部材を備えた車両の前部構造に関するものである。
【背景技術】
【０００２】
被衝突体の保護、特に歩行者を保護することを目的として、バンパレインフォースメントとバンパフェイシャとの間に緩衝部材を設けることが行われている。例えば特許文献１には、緩衝部材の断面形状を、車両後方に向かって開くコ字形とすることにより、衝突荷重に対して緩衝部材を水平方向により真っ直ぐに圧縮変形させるようにしたものが記載されている。また、特許文献２には、バンパレインフォースメントの前面に凹部を形成し、この凹部から前方に突出するように緩衝部材を当該凹部内に設置することより、緩衝部材が早期に底付くこと（つまり、緩衝部材の変形が復元性を維持できる最大変形量を超えること）を抑制するようにしたものが記載されている。
【先行技術文献】
【特許文献】
【０００３】
【特許文献１】特許第４７２３９８６号公報
【特許文献２】特許第４３５４２０９号公報
【発明の概要】
【発明が解決しようとする課題】
【０００４】
バンパレインフォースメントは、その左右を車体のフレーム部材に支持されるので、壁のような障害物と衝突して緩衝部材が底付くと、バンパレインフォースメントに対し、その曲げ剛性を超える荷重が緩衝部材を介して伝達され、底付いた緩衝部材の厚みだけ、フレーム部材に支持された部位よりも中央側の車幅方向中央部分が後方に深く押し込まれることになり、その後方のラジエータ等の補機に衝突する懸念がある。
【０００５】
特に、バンパレインフォースメントが車幅方向中央部が両端部よりも前方に突出するように平面視で湾曲していると、中央部位が最初に障害物に衝突して荷重が集中することで、より深く後方に押し込まれる懸念がある。
【０００６】
特許文献２に記載される構造によれば、衝突時の速い段階でバンパレインフォースメント（特に、車幅方向中央部分）が後方に深く押し込まれることが抑制されるため、軽衝突時などにバンパレインフォースメントが変形してその後方のラジエータ等の補機が損傷を受けることが有効に防止される。しかし、この場合には、バンパレインフォースメントに上記凹部を形成する必要があるため、バンパレインフォースメントの製作に手間がかかりコスト高となる。また、近年では、強度向上のために、バンパレインフォースメントを高張力鋼板や炭素繊維強化樹脂などで構成することが行われており、これらの材料は比較的成型性が悪く、上記のような凹部を設けることが難しい。
【０００７】
本発明は、上記のような事情に鑑みて成されたものであり、軽衝突時に緩衝部材が早期に底付いてバンパレインフォースメントが変形することを、バンパレインフォースメントに特殊な形状を設けることなく解決することを目的とする。
【課題を解決するための手段】
【０００８】
上記の課題を解決するために、本発明の車両の前部構造は、車幅方向に延び、両端部が各々フレーム部材により車両後方から支持されるバンパレインフォースメントと、その前面に固定されて前記バンパレインフォースメントに沿って車幅方向に延びる緩衝部材と、前記バンパレインフォースメントの車両後方側に配置される補機とを備え、前記緩衝部材は、バンパレインフォースメント前面に沿う基台部と、この基台部から車両前方に向かって延びる板状を成しかつ上下方向に変形可能な突出部とを有し、前記突出部は、バンパレインフォースメント前面の上下方向一端側に位置し、当該バンパレインフォースメント前面から上下方向外側に傾倒可能に形成されている、ことを特徴とするものである。
【０００９】
この構造によれば、衝突時には、緩衝部材、特に突出部が変形することにより、衝突荷重が吸収されて被衝突体が受ける衝撃が緩和される。この場合、歩行者に対する軽衝突時の歩行者保護の観点から前記突出部の前後方向長さが比較的長く設定されている場合でも、衝突時には、当該突出部がバンパレインフォースメント前面から上下方向外側に傾倒するように変形することで、衝突時の早い段階で緩衝部材が底付く（被衝突物とバンパレインフォースメントとの間で、緩衝部材の変形が復元性を維持できる最大変形量を超えた状態となる）ことが抑制される。そのため、衝突時の比較的早い段階でバンパレインフォースメントが変形することを、当該バンパレインフォースメントに特殊な形状、すなわち、従来（特許文献２）のような凹部を設けることなく抑制することが可能となる。
【００１０】
上記のような車両の前部構造においては、前記バンパレインフォースメントおよび前記緩衝部材は、車幅方向中央部が両端部よりも車両前方に突出するように湾曲した形状を有し、前記バンパレインフォースメントは、車両前方からの衝突荷重の入力により当該バンパレインフォースメントが車両後方に変形して前記補機と干渉する前に、当該バンパレインフォースメントから前記フレーム部材への前記衝突荷重の伝達が開始されるように形成されているのが好適である。
【００１１】
この構造によれば、衝突時、緩衝部材の突出部が完全に傾倒して底付き状態となり、これによりバンパレインフォースメントが変形し始めても、当該バンパレインフォースメントが補機に干渉する前に、当該バンパレインフォースメントからフレーム部材への衝突荷重の伝達が開始されるため、軽衝突時などに、バンパレインフォースメントが直ちに補機を損傷するような変形状態となることが抑制される。
【００１２】
また、上記のような車両の前部構造において、前記基台部は、車幅方向中央部を含む所定範囲における上下幅が、当該所定範囲よりも車幅方向外側における上下幅よりも小さく形成されているのが好適である。
【００１３】
この構造によれば、被衝突体とバンパレインフォースメントとの間における緩衝部材の潰れ残り量が低減されると共に緩衝部材が倒れやすくなるため、緩衝部材が衝突時の早い段階で底付くことを抑制する上で有利となる。
【００１４】
なお、上記のような車両の前部構造においては、前記緩衝部材の前方に配置され、かつ車幅方向中央部に外気導入口を有する外装部材と、前記外装部材の後側に車幅方向に所定間隔を隔てて配置され、前記外気導入口から導入される外気が車幅方向外側に流動することを抑制する一対の仕切部材と、を備え、前記緩衝部材は、車幅方向の長さが前記一対の仕切部材の間隔よりも長くかつ前記突出部が前記一対の仕切部材の外側まで延設されているものであってもよい。
【００１５】
この構造によれば、外気導入口から導入された外気が車幅方向外側に逃げることを抑制してラジエータ等の冷却風として有効に活用できる一方で、仕切部材に形成される隙間などから漏れた外気が上下方向に乱れて流れて走行抵抗となることを、緩衝部材の突出部を利用して抑制することが可能となる。
【発明の効果】
【００１６】
以上説明したように、本発明の車両の前部構造によれば、軽衝突時に緩衝部材が早期に底付いてバンパレインフォースメントが変形することを、バンパレインフォースメントに特殊な形状を設けることなく解決することができる。
【図面の簡単な説明】
【００１７】
【図１】本発明に係る車両の前部構造が適用された車両の前部を示す斜視図（バンパフェイシャを分離した状態）である。
【図２】車両の前部構造を示す断面図である。
【図３】車両の前部の具体的構成を示す平面略図である。
【図４】緩衝部材を示す正面図である。
【図５】軽衝突時の緩衝部材の変形状態を説明するための車両の要部断面図である。
【図６】軽衝突時の緩衝部材の変形状態を説明するための車両の要部断面図である。
【図７】車両の前部構造の変形例を示す車両の要部断面図である。
【発明を実施するための形態】
【００１８】
以下、添付図面を参照しながら本発明の好ましい実施の一形態について詳述する。
【００１９】
図１に示すように、車両（自動車）１は、その前部の主たる構造体として、前後方向に延びる左右一対のフロントサイドフレーム２と、左右のフロントサイドフレーム２の前端部に各々連結される一対のクラッシュカン４と、これらクラッシュカン４を介して左右のフロントサイドフレーム２の前端部に固定され、フロントバンパの骨格を構成するフロントバンパレインフォースメント６（以下、バンパレイン６と略す）とを有する。また、図２に示すように、車両１は、その前部の外表面を構成する部材として、車両前部の上面を構成するボンネットフード８と、車両前端の外表面であってフロントバンパの外表面を構成するフロントバンパフェイシャ１０（本発明の外装部材に相当する。／以下、バンパフェイシャ１０と略す）と、車両の側部の外表面を構成する左右のフロントフェンダパネル（図示省略）とを有している。そして、ボンネットフード８等の外表面を構成する部材の内側がエンジンルーム１４とされ、当該エンジンルーム１４に図外のエンジン等が収容されると共に、このエンジンの前方に、エンジンの冷却水を冷却するためのラジエータ１６が配設されている。ラジエータ１６は、コンデンサ１７ａ、ラジエータ本体１７ｂおよびラジエータファン１７ｃ等を含み、ラジエータシュラウド１８を介して車体に固定されている。
【００２０】
ラジエータシュラウド１８は、図１に示すように、ラジエータ１６の左右外側に位置する一対の縦辺部１９ａと、縦辺部１９ａの上端部同士を繋ぐ上辺部１９ｂと、縦辺部１９ａの下端部同士を繋ぐ下辺部１９ｃとを有した正面視で略四角形の枠状とされている。そして、車両１の正面から見た状態で、ラジエータ１６がラジエータシュラウド１８の内側に配置され、上記縦辺部１９ａ等に直接、又はブラケット等を介して間接的に固定されている。なお、ラジエータシュラウド１８は、上辺部１９ｂの左右両端から外方後方に延びてエプロンレインに固定される図外の固定アーム部をさらに有しており、左右一対のヘッドランプユニット２０がこれら固定アーム部に固定されている。
【００２１】
図１に示すように、ラジエータシュラウド１８の各縦辺部１９ａ及び下辺部１９ｃの前面には、歩行者に対する足払い部材であるロアスティフナ３０が固定されている。ロアスティフナ３０の先端部は、後記緩衝部材２２やその前方に位置する後記バンパカバー１１よりも車両前方に突出しており（図２参照）、歩行者に対する軽衝突時には、このロアスティフナ３０が歩行者の足払いを行うことで当該歩行者をボンネットフード８上で受け止め、これにより、歩行者が車両１の底部に巻き込まれることを防止するようになっている。なお、図示を省略するが、ボンネットフード８については、受け止めた歩行者に対する衝撃を緩和するために、例えばボンネットフード８とエンジン等との間に十分なクラッシュストロークを確保する、若しくはエアバック機構を設けるなど、歩行者に対する衝撃緩和手段が備えられている。ロアスティフナ３０は、同図に示すように、略水平に延びる前側部３１ａとその後端から斜め上向きに延びる後側部３１ｂとを有しており、走行時には、バンパフェイシャ１０の後記下側開口部１０ｃから導入される走行風を後側部３１ｂに沿ってラジエータ１６に案内する案内部材としても機能する。
【００２２】
なお、各縦辺部１９ａの下端部には、車両前部の一定領域を車両下側から覆うことにより上記ラジエータ１６等を保護するアンダカバー３２が固定されている。
【００２３】
上記バンパレイン６には、衝撃吸収用の緩衝部材２２が固定されている。この車両１では、この緩衝部材２２、バンパレイン６および上記バンパフェイシャ１０（後記バンパカバー１１含む）等によりフロントバンパが構成されている。
【００２４】
図２及び図３に示すように、バンパレイン６は、略長方形状をなす板状の前側部材７ａと、上下両側のフランジ部７１を介して前側部材７ａの後面に接合される断面ハット型の後側部材７ｂとにより形成された車幅方向に延びる細長い閉断面体である。前側部材７ａおよび後側部材７ｂは、軽量高剛性の材料から構成されており、当例では、高張力鋼板又は炭素繊維強化樹脂により構成されている。バンパレイン６は、安全基準等において定められた前突時の衝撃に耐え得る強度を達成可能なように上下方向に所定の幅を有している。また、バンパレイン６は、その前面（前側部材７ａの前面）の車幅方向中央部が両端部よりも前方に突出するように平面視で湾曲した形状を有しており、前記両端部が上記クラッシュカン４を介してフロントサイドフレーム２の前端部に固定されている。また、図４に示すように、バンパレイン６は、車幅方向中央領域では、デザイン性または冷却風や吸気導入開口を広げるために、上縁部が略Ｖ字状にやや下向きに凹んだ形状とされている。
【００２５】
緩衝部材２２は、衝突時に、衝突荷重を吸収して被衝突体が受ける衝撃を緩和するためのものであり、バンパフェイシャ１０の内面とバンパレイン６との間に配されて、当該バンパレイン６の前側部材７ａの前面に固定されている。
【００２６】
緩衝部材２２は、図２〜図４に示すように、バンパレイン６（前側部材７ａ）の前面に沿って車幅方向に延びる基台部２４と、この基台部２４の前面下端から前方に突出しかつ車幅方向に延びる板状の突出部２５とを備えた断面略Ｌ字形の形状を有している。緩衝部材２２は、車幅方向中央部が両端部よりも前方に突出するように、平面視で全体が湾曲した形状を有しており、バンパレイン６の前面（前側部材７ａ）に沿うように配置された上で当該バンパレイン６に固定されている。具体的には、緩衝部材２２の後面であってかつ車幅方向中央部よりも外側の位置に一対の固定用ボス部２６が設けられており、これら固定用ボス部２６がバンパレイン６（前側部材７ａ）に形成された図外の取付孔に挿着されることで、緩衝部材２２がバンパレイン６に固定されている。
【００２７】
緩衝部材２２は、発泡樹脂材製の弾性体などで全体が構成されており、これにより、突出部２５が基台部２４に対して上下方向に弾性的に撓み変形可能となっている。特に、緩衝部材２２は、上記の通り基台部２４の下端部から車両前方に向かって突出部２５が延びる断面Ｌ字型を成しており、また、図４に示すように、車両１の正面から見た状態で、突出部２５の車幅方向中央部が下向きに若干撓んだ形状を有していることで、軽衝突時には下向きに撓み易くなっている。しかも、緩衝部材２２は、突出部２５がバンパレイン６の下端部に位置するように設けられており、詳しくは、前側部材７ａのうち、後側部材７ｂの下側のフランジ部７１の前方に位置するように設けられることで、当該バンパレイン６の前面から下方外側に傾倒することが可能となっている（図５参照）。また、このようにバンパレイン６の前面のうち下端近傍に突出部２５が設けられることにより、歩行者に対する軽衝突時には、歩行者の膝部よりも下方位置が突出部２５で支持されることとなり、これにより脚部（特に膝部）への負担が軽減されるようになっている。
【００２８】
図４に示すように、緩衝部材２２の基台部２４は、その上下幅が車幅方向両端部ではバンパレイン６の上下幅と略同等に形成される一方で、当該両端部よりも車幅方向内側の領域（車幅方向中央部を含む所定範囲）ではバンパレイン６の上下幅よりも狭く形成されている。これにより、基台部２４は、車両正面から見て車幅方向中央領域が下向きに凹んだ形状とされている。
【００２９】
なお、前記突出部２５は、緩衝部材２２の車幅方向全域ではなく、車両１の正面から見たときに左右のクラッシュカン４の略内側の領域に設けられている。また、緩衝部材２２のうち、車幅方向の両端部、詳しくは、クラッシュカン４の前方に位置する部分を含む緩衝部材両端の一定の領域（図４中の領域Ｔａ）は、それよりも車幅方向内側の領域よりも硬質に形成されている。当例では、領域Ｔａにおける発泡樹脂材の発泡倍率が、それよりも車幅方向内側の領域における発泡樹脂材の発泡倍率よりも低く設定されることで、緩衝部材２２の両端部（領域Ｔａ）が硬質に構成されている。つまり、軽衝突時には、突出部２５を弾性変形させて衝突荷重を吸収することで被衝突体が受ける衝撃を緩和し、軽衝突時より大きな衝突荷重に対しては、当該衝突荷重を速やかにクラッシュカン４へ伝達させ、当該クラッシュカン４を塑性変形させることで当該衝突荷重を吸収するようになっている。そして、緩衝部材２２の両端部については、基台部２４の上下幅が大きく形成され、かつ湾曲している（車両後方に傾斜している）ことで、歩行者に対する軽衝突時に歩行者等が受ける衝撃を緩和し得るようになっている。
【００３０】
なお、バンパレイン６は、上記の通り、車幅方向中央部が両端部よりも前方に突出するように平面視で湾曲した形状を有しているが、詳しくは、車両前方からの衝突荷重の入力により当該バンパレイン６が車両後方に変形してラジエータ１６等の補機に干渉する前に、当該ラジエータ１６からクラッシュカン４等（本発明のフレーム部材に相当する）への衝突荷重の伝達が開始されるように形成されている。
【００３１】
バンパフェイシャ１０は、車両１の前端部外表面の比較的広い範囲を構成している。図１に示すように、バンパフェイシャ１０の車幅方向中央部には、エンジンルーム１４に走行風（外気）を導入するための横長の開口部（本発明の外気導入口に相当する）が形成されている。詳しくは、バンパフェイシャ１０には、その上下略中央部分に、上記バンパレイン６の前方に位置して車幅方向に延びる帯状のバンパカバー１１が一体的に設けられており、このバンパカバー１１を挟んで上側に位置する上側開口部１０ａと下側に位置する中央開口部１０ｂとが設けられるとともに、この中央開口部１０ｂの下側に、さらに前記開口部１０ａ、１０ｂよりも車幅方向に長い下側開口部１０ｃが設けられている。これにより、車両１の走行中は、上側開口部１０ａから走行風が導入されながらバンパレイン６の上方を通ってラジエータ１６に至るとともに、中央開口部１０ｂ及び下側開口部１０ｃから走行風が導入されながらバンパレイン６の下方を通ってラジエータ１６に至るようになっている。このように、開口部１０ａ〜１０ｃから走行風が導入されることでラジエータ１６の冷却が促進される。
【００３２】
前記バンパカバー１１は、図２に示すように、その上下幅が前側部材７ａの上下幅とほぼ等しく形成されており、緩衝部材２２を挟んでバンパレイン６の前側部材７ａに対向する状態で、当該前側部材７ａと略平行に設けられている。これにより、緩衝部材２２の突出部２５が、バンパカバー１１の内面のうち、その下端部近傍の位置に対向する状態で近接して配置されている。なお、バンパフェイシャ１０のうち、前記バンパカバー１１よりも上側の部分、すなわち、上側開口部１０ａが形成されるグリル部１２は、バンパカバー１１よりも車両前方に突出している。
【００３３】
また、図１に示すように、バンパフェイシャ１０のうち、その車幅方向両端には、図外のフォグランプユニットを設置するための左右一対のランプ用開口部１０ｄが形成されている。
【００３４】
詳しく図示していないが、バンパフェイシャ１０は、バンパレイン６及び緩衝部材２２に沿った形状、すなわち、平面視で、車幅方向中央部が同両端部よりも前方に突出するように、全体が湾曲した形状を有している。
【００３５】
バンパフェイシャ１０の内面とバンパレイン６との間には、左右一対の仕切部材３４が設けられている。これら左右一対の仕切部材３４は、上記開口部１０ａ〜１０ｃから導入される走行風がラジエータ１６の周囲、特に、緩衝部材２２に沿って車幅方向に逃げるのを防止するものである。これにより、上記開口部１０ａ〜１０ｃから導入される走行風がラジエータ１６の冷却に有効に活用される。
【００３６】
なお、詳しく図示していないが、緩衝部材２２の突出部２５の両端近傍には、上下方向に延びる溝部２５ａが形成されており、上記仕切部材３４は、これら溝部２５ａ内に介在する状態で設けられている。つまり、緩衝部材２２は、車幅方向の長さが前記一対の仕切部材３４の間隔よりも長くかつ突出部２５が両仕切部材３４の外側まで延設されている。この構成により、上記開口部１０ａ〜１０ｃから導入される走行風を両仕切部材３４によりラジエータ１６等に案内する一方で、仕切部材３４自体に形成される隙間や、当該仕切部材３４と緩衝部材２２との間に形成される隙間から車幅方向外側に漏れた走行風（漏洩風）を、前記突出部２５（前記一対の仕切部材３４よりも外側の部分）に沿って車幅方向外側に案内することで、当該漏洩風が仕切部材３４の外側で上下方向に乱れて流れて走行抵抗となることを抑制するようになっている。
【００３７】
次に、上記のような車両１の前部構造による作用効果について説明する。
【００３８】
上記のような車両１の前部構造によると、軽衝突時には、緩衝部材２２、特に突出部２５が変形することにより、衝突荷重が吸収されて被衝突体が受ける衝撃が緩和される。この場合、緩衝部材２２は、上記の通り上下方向に延びる基台部２４とその下端部から車両前方に延びる突出部２５とを備えた断面略Ｌ字形であり、また、車両１の正面から見た状態で、突出部２５の車幅方向中央部が下向きに若干撓んだ形状を有していることで、軽衝突時には下向きに撓み易くなっている。しかも、突出部２５がバンパレイン６の下端部に位置するように緩衝部材２２が設けられていることで、突出部２５はバンパレイン６の前面から下方外側に傾倒することが可能となっている。そのため、被衝突体保護の観点から前記突出部２５の前後方向長さが比較的長く設定される場合でも、衝突時には、図５に示すように、当該突出部２５がバンパレイン６前面から下方外側に傾倒するように変形することで、衝突時の早い段階で緩衝部材２２が底付く、つまり、被衝突物とバンパレイン６との間で緩衝部材２２（突出部２５）の変形が復元性を維持できる最大変形量を超えた状態となることが効果的に抑制される。しかも、この車両１の前部構造では、上記の通り、緩衝部材２２はバンパレイン６（前側部材７ａ）の平坦な前面に固定されるようになっており、従来（特許文献２）のような凹部をバンパレイン６に設ける必要がない。従って、この車両１の前部構造によると、軽衝突時の比較的早い段階で緩衝部材２２が底付くことによりバンパレイン６が変形してラジエータ１６等を損傷するという不都合を、当該バンパレイン６に特殊な形状を設けることなく、すなわち、従来（特許文献２）のような凹部を設けることなく抑制することができるという利点がある。
【００３９】
特に、バンパレイン６は、車幅方向中央部が両端部よりも前方に突出するように平面視で湾曲した形状を有しており、詳しくは、上記の通り、車両前方からの衝突荷重の入力により当該バンパレイン６が車両後方に変形してラジエータ１６等に干渉する前に、当該バンパレイン６から前記フレーム部材への衝突荷重の伝達が開始されるように形成されているので、軽衝突時などに、バンパレイン６が直ちに変形してラジエータ１６等を損傷するという不都合を効果的に抑制することができる。
【００４０】
また、上記車両１の前部構造では、緩衝部材２２の基台部２４のうち、車両正面から見て車幅方向中央領域が下向きに凹んだ形状とされているため、被衝突体とバンパレイン６との間における緩衝部材２２の潰れ残り量が低減される。そのため、緩衝部材２２が衝突時の早い段階で底付くことをより効果的に抑制することができるという利点もある。
【００４１】
また、上記車両１の前部構造では、バンパカバー１１の内面のうち、その下端部近傍の位置に突出部２５が対向するようにバンパカバー１１の位置が設定されており、さらにこのバンパカバー１１の上側に位置するグリル部１２が当該バンパカバー１１よりも車両前方に突出しているので、衝突時には、突出部２５をより確実にバンパレイン６の下方外側に傾倒させることができるという利点がある。すなわち、衝突時には、まずグリル部１２が被衝突体に当接して車両後方に変形し、これに伴いバンパカバー１１が車両後方に傾倒するように変形する。そして、図５中に破線で示すように、このバンパカバー１１の傾倒により突出部２５が上側から抑え込まれる結果、当該突出部２５がバンパレイン６の下方外側に傾倒することとなる。よって、衝突時には、突出部２５をより確実にバンパレイン６の下方外側に傾倒させることができる。
【００４２】
また、上記車両１の前部構造によれば、バンパレイン６の前面（前側部材７ａ）のうち、後側部材７ｂの下側のフランジ部７１の前方に突出部２５が位置するように緩衝部材２２が設けられるため、この点でも、突出部２５をより確実にバンパレイン６の前面から下方外側に傾倒させることができる。すなわち、仮に、突出部２５が底付き状態まで水平方向の圧縮荷重を受けたとすると、この場合には、図６に示すように、バンパレイン６のうち後側部材７ｂの部分が後方に屈曲し、結果的に、突出部２５が下方へ傾倒することとなる。そのため、突出部２５をより確実に傾倒させることが可能となる。
【００４３】
また、上記車両１の前部構造では、緩衝部材２２は、車幅方向中央部よりも外側の位置に設けられた一対の固定用ボス部２６によりバンパレイン６（前側部材７ａ）に固定されており、緩衝部材２２は、車幅方向中央部ではバンパレイン６に対して非固定状態で当接している。そのため、車幅方向中央部では、衝突時、緩衝部材２２が捩れを伴いながらスムーズにバンパレイン６の下方外側に傾倒することとなる。従って、この点でも突出部２５をより確実に傾倒させることができるという利点がある。
【００４４】
また、上記車両１の前部構造によれば、歩行者に対する軽衝突時には、緩衝部材２２の突出部２５が上記のように下向きに傾倒する（撓む）ことにより、その弾発力が歩行者の脚部を跳ね上げる力として作用することとなる。つまり、歩行者に対する軽衝突時には、ロアスティフナ３０による歩行者の足払いに加え、突出部２５により脚部を跳ね上げる力が歩行者に作用することで、歩行者の上記足払いが促進される。そのため、歩行者に対する軽衝突時には、より確実かつ速やかに歩行者の足払いを行って、ボンネットフード上で歩行者を受け止めることができ、これにより、歩行者が車両１の底部へ巻き込まれることをより高度に防止することが可能によるという利点がある。
【００４５】
なお、以上説明した車両１の前部構造は、本発明に係る車両の前部構造の好ましい実施形態の例示であって、その具体的な構造は、本発明の要旨を逸脱しない範囲で適宜変更可能である。
【００４６】
例えば、上記実施形態では、緩衝部材２２は、基台部２４の前面下端から前方に向かって突出部２５が突出する断面略Ｌ字形の形状とされ、バンパレイン６前面の下端部に突出部２５が位置するように配置されているが、図７に示すように、基台部２４の前面上端から前方に向かって突出部２５が突出する断面略Ｌ字形の形状とし、同図に示すように、突出部２５がバンパレイン６の上端部に位置するように設けられていてもよい。つまり、衝突時に、突出部２５がバンパレイン６前面から上方外側に傾倒するようにしてもよい。このような構造においても、上述した実施形態と同等の作用効果（突出部２５により脚部を跳ね上げる効果は除く）を享受することができる。
【００４７】
この場合には、図７に示すように、バンパフェイシャ１０のバンパカバー１１の内面のうち、その上端部近傍の位置に突出部２５が対向するようにバンパカバー１１の位置を設定した上で、さらにこのバンパカバー１１の下側に、当該バンパカバー１１よりも車両前方に突出するグリル部等の突出部１３を設けるのが好ましい。この構成によれば、衝突時には、まず突出部１３が被衝突体に当接して車両後方に変形し、これに伴いバンパカバー１１が車両後方に傾倒するように変形する。そして、このバンパカバー１１の傾倒により突出部２５が下側から押し上げられる結果、当該突出部２５がバンパレイン６の上方外側に傾倒することとなる。よって、衝突時に、突出部２５をより確実にバンパレイン６の上方外側に傾倒させることができる。
【符号の説明】
【００４８】
１  車両
２  フロントサイドフレーム
３  クラッシュカン
６  バンパレインフォースメント
７ａ  前側部材
７ｂ  後側部材
１０  バンパフェイシャ
１１  バンパカバー
２２  緩衝部材
２４  基台部
２５  突出部
【図１】
2015096357.tif 000003
【図２】
2015096357.tif 000004
【図３】
2015096357.tif 000005
【図４】
2015096357.tif 000006
【図５】
2015096357.tif 000007
【図６】
2015096357.tif 000008
【図７】
2015096357.tif 000009